(57)【特許請求の範囲】
【請求項１】
複数の画像と、前記複数の画像のうち、選択されている画像上に表示される第１のカーソルの表示を制御する第１の表示制御手段と、
前記第１の表示制御手段により表示が制御されている前記複数の画像のうち、前記第１のカーソルが位置する画像に対して実行可能な複数の機能の機能名を、前記複数の画像に重畳した表示を制御し、その機能名のうちの選択されている機能名上に表示される第２のカーソルの表示を制御する第２の表示制御手段と、
前記第１のカーソルと前記第２のカーソルを上下左右方向のそれぞれに移動させるための操作部材が操作されたときの、その操作方向を判断する判断手段と
を備え、
前記判断手段により、前記操作部材が、左右方向に操作されたと判断された場合、前記第１のカーソルを判断された方向に移動させた表示を、前記第１の表示制御手段が行い、
前記判断手段により、前記操作部材が、上下方向に操作されたと判断された場合、前記第２のカーソルを判断された方向に移動させた表示を、前記第２の表示制御手段が行う
表示制御装置。
【請求項２】
前記第１の表示制御手段により前記第１のカーソルが移動される表示が制御されたとき、前記第２の表示制御手段は、前記機能名の表示を維持する表示を制御する
請求項１に記載の表示制御装置。
【請求項３】
複数の画像と、前記複数の画像のうち、選択されている画像上に表示される第１のカーソルの表示を制御し、
前記複数の画像のうち、前記第１のカーソルが位置する画像に対して実行可能な複数の機能の機能名を、前記複数の画像に重畳した表示を制御し、その機能名のうちの選択されている機能名上に表示される第２のカーソルの表示を制御し、
前記第１のカーソルと前記第２のカーソルを上下左右方向のそれぞれに移動させるための操作部材が操作されたときの、その操作方向を判断し、
前記操作部材が、左右方向に操作されたと判断された場合、前記第１のカーソルを判断された方向に移動させた表示を、前記機能名が表示されている状態で行い、
前記操作部材が、上下方向に操作されたと判断された場合、前記第２のカーソルを判断された方向に移動させた表示を行う
ステップを含む表示制御方法。
【請求項４】
複数の画像と、前記複数の画像のうち、選択されている画像上に表示される第１のカーソルの表示を制御し、
前記複数の画像のうち、前記第１のカーソルが位置する画像に対して実行可能な複数の機能の機能名を、前記複数の画像に重畳した表示を制御し、その機能名のうちの選択されている機能名上に表示される第２のカーソルの表示を制御し、
前記第１のカーソルと前記第２のカーソルを上下左右方向のそれぞれに移動させるための操作部材が操作されたときの、その操作方向を判断し、
前記操作部材が、左右方向に操作されたと判断された場合、前記第１のカーソルを判断された方向に移動させた表示を、前記機能名が表示されている状態で行い、
前記操作部材が、上下方向に操作されたと判断された場合、前記第２のカーソルを判断された方向に移動させた表示を行う
ステップを含む処理を実行するコンピュータが読み取り可能なプログラムを記録している記録媒体。
【請求項５】
複数の画像と、前記複数の画像のうち、選択されている画像上に表示される第１のカーソルの表示を制御し、
前記複数の画像のうち、前記第１のカーソルが位置する画像に対して実行可能な複数の機能の機能名を、前記複数の画像に重畳した表示を制御し、その機能名のうちの選択されている機能名上に表示される第２のカーソルの表示を制御し、
前記第１のカーソルと前記第２のカーソルを上下左右方向のそれぞれに移動させるための操作部材が操作されたときの、その操作方向を判断し、
前記操作部材が、左右方向に操作されたと判断された場合、前記第１のカーソルを判断された方向に移動させた表示を、前記機能名が表示されている状態で行い、
前記操作部材が、上下方向に操作されたと判断された場合、前記第２のカーソルを判断された方向に移動させた表示を行う
ステップを含む処理を実行するコンピュータが読み取り可能なプログラム。
【発明の詳細な説明】
【０００１】
【発明の属する技術分野】
本発明は、表示制御装置および方法、記録媒体、並びにプログラムに関し、特に、例えば、デジタルスチルカメラなどに設けられている画面に画像を表示させる場合において、画像の選択および機能の選択を効率良く行うことができるようにした表示制御装置および方法、記録媒体、並びにプログラムに関する。
【０００２】
【従来の技術】
近年、デジタルスチルカメラは、多機能化が進んできており、ユーザが、例えば、ボタン操作などによって所定の機能を選択することにより、撮像された画像に様々な処理を施すことができる。
【０００３】
すなわち、例えば、デジタルスチルカメラなどで撮像された画像をLCD（Liquid Crystal Display）に表示させて、画像の印刷、画像の削除、もしくは画像の保護などの所定の機能を実行させる場合、ユーザは、デジタルスチルカメラの内部に記録されている複数の画像の中から、所望の画像をLCDに表示させた後、設定機能を実行させるためのメニュー画面を表示させ、さらに、所定の機能（例えば、画像の削除）を選択する。これにより、選択された画像に対して、所定の処理（画像削除）が施される。
【０００４】
【発明が解決しようとする課題】
ところで、デジタルスチルカメラは、多機能化が進む一方で、装置の小型化も進んでおり、上述したように、画像選択のためのボタン、および、機能選択のためのボタンなど、複雑な操作にともなって、ボタンの数を増やすことは好ましくない。
【０００５】
そこで、１つのボタンで、効率良く、画像選択および機能選択を実行させるには、例えば、１回目のボタン操作で画像を選択させ、２回目のボタン操作で機能を選択させるといった方法も考えられる。
【０００６】
しかしながら、この方法の場合、一旦、画像が選択されてしまうと、必ず、所定の機能を選択しなければならず、例えば、所望の画像とは異なる画像を選択してしまった場合に、正しい画像を選択し直すといった操作が煩雑になる課題があった。
【０００７】
また、複数の画像に対して、同じ機能を実行させるような場合にも、いちいち画像選択および機能選択の操作を繰り返し行わなければならず、同一機能を連続て実行させることができなかった。
【０００８】
本発明はこのような状況に鑑みてなされたものであり、画像の選択および機能の選択を効率良く行うことができるようにするものである。
【０００９】
【課題を解決するための手段】
本発明の表示制御装置は、複数の画像と、前記複数の画像のうち、選択されている画像上に表示される第１のカーソルの表示を制御する第１の表示制御手段と、前記第１の表示制御手段により表示が制御されている前記複数の画像のうち、前記第１のカーソルが位置する画像に対して実行可能な複数の機能の機能名を、前記複数の画像に重畳した表示を制御し、その機能名のうちの選択されている機能名上に表示される第２のカーソルの表示を制御する第２の表示制御手段と、前記第１のカーソルと前記第２のカーソルを上下左右方向のそれぞれに移動させるための操作部材が操作されたときの、その操作方向を判断する判断手段とを備え、前記判断手段により、前記操作部材が、左右方向に操作されたと判断された場合、前記第１のカーソルを判断された方向に移動させた表示を、前記第１の表示制御手段が行い、前記判断手段により、前記操作部材が、上下方向に操作されたと判断された場合、前記第２のカーソルを判断された方向に移動させた表示を、前記第２の表示制御手段が行う。
【００１０】
前記第１の表示制御手段により前記第１のカーソルが移動される表示が制御されたとき、前記第２の表示制御手段は、前記機能名の表示を維持する表示を制御するようにすることができる。
【００１１】
本発明の表示制御方法は、複数の画像と、前記複数の画像のうち、選択されている画像上に表示される第１のカーソルの表示を制御し、前記複数の画像のうち、前記第１のカーソルが位置する画像に対して実行可能な複数の機能の機能名を、前記複数の画像に重畳した表示を制御し、その機能名のうちの選択されている機能名上に表示される第２のカーソルの表示を制御し、前記第１のカーソルと前記第２のカーソルを上下左右方向のそれぞれに移動させるための操作部材が操作されたときの、その操作方向を判断し、前記操作部材が、左右方向に操作されたと判断された場合、前記第１のカーソルを判断された方向に移動させた表示を、前記機能名が表示されている状態で行い、前記操作部材が、上下方向に操作されたと判断された場合、前記第２のカーソルを判断された方向に移動させた表示を行うステップを含む。
【００１２】
本発明の記録媒体に記録されているプログラムは、複数の画像と、前記複数の画像のうち、選択されている画像上に表示される第１のカーソルの表示を制御し、前記複数の画像のうち、前記第１のカーソルが位置する画像に対して実行可能な複数の機能の機能名を、前記複数の画像に重畳した表示を制御し、その機能名のうちの選択されている機能名上に表示される第２のカーソルの表示を制御し、前記第１のカーソルと前記第２のカーソルを上下左右方向のそれぞれに移動させるための操作部材が操作されたときの、その操作方向を判断し、前記操作部材が、左右方向に操作されたと判断された場合、前記第１のカーソルを判断された方向に移動させた表示を、前記機能名が表示されている状態で行い、前記操作部材が、上下方向に操作されたと判断された場合、前記第２のカーソルを判断された方向に移動させた表示を行うステップを含む処理を実行するコンピュータが読み取り可能なプログラムを記録している。
【００１３】
本発明のプログラムは、複数の画像と、前記複数の画像のうち、選択されている画像上に表示される第１のカーソルの表示を制御し、前記複数の画像のうち、前記第１のカーソルが位置する画像に対して実行可能な複数の機能の機能名を、前記複数の画像に重畳した表示を制御し、その機能名のうちの選択されている機能名上に表示される第２のカーソルの表示を制御し、前記第１のカーソルと前記第２のカーソルを上下左右方向のそれぞれに移動させるための操作部材が操作されたときの、その操作方向を判断し、前記操作部材が、左右方向に操作されたと判断された場合、前記第１のカーソルを判断された方向に移動させた表示を、前記機能名が表示されている状態で行い、前記操作部材が、上下方向に操作されたと判断された場合、前記第２のカーソルを判断された方向に移動させた表示を行うステップを含む処理を実行するコンピュータが読み取り可能なプログラム。
【００１４】
本発明においては、複数の画像と、複数の画像のうち、選択されている画像上に表示される第１のカーソルの表示を制御する第１の表示制御手段と、第１の表示制御手段により表示が制御されている複数の画像のうち、第１のカーソルが位置する画像に対して実行可能な複数の機能の機能名を、複数の画像に重畳した表示を制御し、その機能名のうちの選択されている機能名上に表示される第２のカーソルの表示を制御する第２の表示制御手段と、第１のカーソルと第２のカーソルを上下左右方向のそれぞれに移動させるための操作部材が操作されたときの、その操作方向を判断する判断手段とを備え、判断手段により、操作部材が、左右方向に操作されたと判断された場合、第１のカーソルを判断された方向に移動させた表示を、第１の表示制御手段が行い、判断手段により、操作部材が、上下方向に操作されたと判断された場合、第２のカーソルを判断された方向に移動させた表示を、第２の表示制御手段が行う。
【００１５】
【発明の実施の形態】
以下、図を参照して、本発明の実施の形態について説明する。
【００１６】
図１および図２は、本発明を適用したデジタルスチルカメラの外観の構成例を示す図である。
【００１７】
デジタルスチルカメラ１は、本体２、本体２に内蔵される表示部３、および、CCD３６（図３）などよりなるカメラ部（図示せず）により構成されている。図１は本体２の背面図、図２は本体２に設けられている後述する十字キー１３の拡大図である。
【００１８】
表示部３の正面には、画像を表示するためのLCD１１が設けられており、後述する表示処理において、画像もしくは機能名などを表示させる。
【００１９】
本体２には、LCD１１に表示されるカーソルを移動させる場合などに操作される十字キー１３、LCD１１にメニュー画面を表示させる場合や表示状態を切り換える場合などに操作されるボタン群１４、LCD１１に表示されている画像の縮小表示を行う場合に操作されるズームアウトボタン１５、および、LCD１１に表示されている画像の拡大表示を行う場合に操作されるズームインボタン１６が、その背面に設けられている。また、モードを選択する場合に操作されるモードダイヤル１２がその上面に設けられている。なお、十字キー１３に代えて、ジョグダイヤルを設けることも可能である。
【００２０】
十字キー１３は、例えば、本体２の背面の表示部３の図中左側に設けられている。図２に示すように、十字キー１３は、LCD１１に表示されているカーソルを上方向に移動させる場合に操作される上キー１３ａ、下方向に移動させる場合に操作される下キー１３ｂ、左方向に移動させる場合に操作される左キー１３ｃ、右方向に移動させる場合に操作される右キー１３ｄ、および、その操作の確定を実行する場合に操作される確定キー１３ｅにより構成されている。
【００２１】
図３は、デジタルスチルカメラ１の電気的構成例を示すブロック図である。
【００２２】
光（すなわち、被写体の映像）は、レンズ制御部３２の制御により位置が制御されるレンズ３１、制御部４０から入力される制御信号に従って、その開口径が制御されるアイリス３３、および、CCD（Charge Coupled Devices）３６に光が入射されるタイミングを制御するために、制御部４０から入力される制御信号に従って、その開閉タイミングが制御されるシャッタ３４を介して、CCD３６に入射する。CCD３６は、受光した光の強度を電気信号に変換する。
【００２３】
CCD３６は、タイミングジェネレータ３５から供給されるタイミング信号に従って、蓄積された電気信号をCDS（Correlated Double Sampling（相関二重サンプリング））３７に出力する。CCD３６の出力信号に含まれる雑音は、リセット雑音（CCD３６が内部に有する、図示しない電荷検出用差動アンプのリセット時に発生）がほとんどであり、CDS３７は、このリセット雑音を低減するものである。CCD３６の出力波形は、リセット期間、信号期間、フィールドスルー期間の３つの期間に分けられ、信号期間には映像信号とリセット雑音が、フィールドスルー期間にはリセット雑音のみが存在する。従って、CDS３７は、この２つの期間の信号を異なる２つのパルスを用いて各々サンプリングし、その後、両信号を減算することにより、リセット雑音が低減された映像信号を得て、A/D（Analog to digital）変換部３８に出力する。
【００２４】
A/D変換部３８は、入力されたRGBのカラーアナログ信号を、デジタル信号に変換して、WB（White Balance）アンプ３９に出力する。CCD３６の出力信号はアナログ信号であり、信号処理をデジタルで行う場合、前段にこのA/D変換部３８が必要である。
【００２５】
WBアンプ３９は、制御部４０から入力された制御信号に従って、入力された画像信号に、ホワイトバランス係数を乗算し、制御部４０に出力する。
【００２６】
制御部４０は、モードダイヤル１２、十字キー１３、ボタン群１４、ズームアウトボタン１５、もしくはズームインボタン１６を用いてユーザが指令した内容を示す信号に基づいて、各種処理を実行する。
【００２７】
測光素子４１は、例えば、フォトダイオードなどからなり、外光の強度を測定し、制御部４０に出力する。充電・発光制御部４２は、ストロボ４３の発光に必要な電源を充電し、制御部４０から入力される制御信号に基づいて、ストロボ４３の発光を制御する。ストロボ４３は、充電・発光制御部４２から供給された電源により、充電・発光制御部４２の制御に従い、発光する。
【００２８】
記録部４４は、制御部４０から供給される画像データを記録したり、もしくは、記録されている画像データを読み出して制御部４０に供給する。
【００２９】
プログラムROM（Read Only Memory）４５には、制御部４０が実行するプログラムが格納されている。外部インターフェース４６は、例えば、USB（Universal Serial Bus）入出力端子などを備え、外部機器とのデータの授受が可能なようになされている。RAM（Random Access Memory）４７は、制御部４０の処理において生成されたデータなどを一時保存する。EEPROM（Electrically Erasable and Programmable ROM）４８は、制御部４０が実行する、例えば、レンズ制御部３２、アイリス３３、シャッタ３４、タイミングジェネレータ３５などに対する制御に必要なパラメータを記録している。
【００３０】
制御部４０には、プログラムをインストールするためのドライブ４９が接続されており、磁気ディスク６１、光ディスク６２、もしくは光磁気ディスク６３などが必要に応じて装着される。
【００３１】
また、制御部４０には、半導体メモリ３１を装着するためのメモリスロット５０が接続されており、必要に応じて挿入される半導体メモリ７１とデータの授受を行う。
【００３２】
半導体メモリ７１は、例えば、メモリースティック（商標）などにより構成される。このメモリースティックは、本出願人によって開発されたフラッシュメモリカードの一種である。このメモリースティックは、縦21.5×横50×厚さ2.8[mm]の小型薄型形状のプラスチックケース内に、電気的に書換えや消去が可能な不揮発性メモリであるEEPROMの一種であるフラッシュメモリ素子を格納したものであり、１０ピン端子を介して画像や音声、音楽等の各種データの書き込み、および読み出しが可能となっている。
【００３３】
図４は、デジタルスチルカメラ１の上面に設けられているモードダイヤル１２が「Play」（画像表示モード）と示される位置（図示せず）に設定された場合の表示画面を示す図である。LCD１１には、記録部４４もしくはメモリスロット５０に挿入された半導体メモリ７１に記録されている第１番目の画像が画面全体に表示されるとともに、表示されている画像に関する情報として、例えば、画像番号（「100‐0001」（画像ファイルの標準規格であるDCF（Design rule for Camera File system）規格の100フォルダの0001番目のファイル画像））および日時（2001年１月１日午前10時31分）がLCD１１の下側に表示されている。
【００３４】
そして、図４に示した表示画面において、ユーザが、ズームアウトボタン１５を操作することにより、図５に示されるように、複数の画像を表示させることができる。
【００３５】
図５に示す表示画面には、図４に示した画像が画像表示エリア１０１に表示されており、第２番目に記録されている画像が画像表示エリア１０２に表示される。なお、カーソル１１１により選択される画像は、常に中央に位置するようになされており、図４の例の場合、画像表示エリア１０１に表示されている第１番目の画像が選択されている。さらに、カーソル１１１により選択されている画像に関する詳細情報もしくは設定機能（後述）を表示するための情報表示エリア１１２が表示されている。同図に示されるように、情報表示エリア１１２には、選択された画像に関する詳細情報（絞り値、シャッタースピード、およびＥＶ(Exposure Value)補正など）が表示されている。
【００３６】
このように、表示画面の中央に位置する画像に関する詳細情報もしくは設定機能を表示するための情報表示エリア１１２を同時に表示させるようにしたので、ユーザに対する画像情報の理解度を向上させることができる。
【００３７】
また図５に示す表示画面には、記録されている画像全体の表示尺度を示すバー１２１および現在の表示位置を示すカーソル１２２が表示されている。図中、カーソル１２２が上側に移動するに従って、画像番号の小さいものが表示されるようになされており、カーソル１２２が下側に移動するに従って、画像番号の大きいものが表示されるようになされている。
【００３８】
図５に示した表示画面において、ユーザが、十字キー１３のうち、左キー１３ｃもしくは右キー１３ｄを操作することにより、カーソル１１１が選択している画像を切り替えさせることができる。
【００３９】
例えば、ユーザによって、十字キー１３のうち、右キー１３ｄが押下された場合、図５に示されていた画像全体が、図中左に移動（スクロール）され、図６に示されるように、第１番目に記録されている画像が画像表示エリア１０３に表示され、第２番目に記録されている画像が画像表示エリア１０１に表示され、さらに、第３番目に記録されている画像が画像表示エリア１０２に表示される。これにより、カーソル１１１により選択される画像は、第１番目に記録されている画像から、第２番目に記録されている画像に切り替えられる。
【００４０】
そして、選択画像の切り替えにともなって、情報表示エリア１１２に表示されている詳細情報、および、LCD１１の下側に表示されている情報が、カーソル１１１によって新しく選択された画像に関する情報に更新される。
【００４１】
図６に示した表示画面において、ユーザが、ボタン群１４のうち、「MENU」と示されるボタンを押下することにより、図７に示されるように、情報表示エリア１１２に表示されている情報を設定機能に切り替えさせることができる。
【００４２】
図７に示す表示画面には、複数の機能を示すメニュー項目１３１乃至１３３が表示されており、同図においては、「プロテクト」と示されたメニュー項目１３２が選択されている。この状態において、ユーザによって、確定キー１３ｅが押下されると、カーソル１１１により選択されている画像がプロテクト（保護）され、図８に示されるように、プロテクトされたことを示すアイコン１４１が画像表示エリア１０１の上側に表示される。
【００４３】
また、図７に示した表示画面において、例えば、ユーザによって、「プリント」と示されたメニュー項目１３１が選択され、確定キー１３ｅが押下されると、カーソル１１１により選択されている画像が、デジタルスチルカメラ１の外部インターフェース４６を介して接続される図示せぬ画像印刷装置（いわゆるプリンタ）に出力され、紙などにその画像が印刷される。
【００４４】
さらにまた、例えば、ユーザによって、「削除」と示されたメニュー項目１３３が選択され、確定キー１３ｅが押下されると、カーソル１１１により選択されている画像が削除される。なお、選択画像の削除が実行される際に、「画像を削除してもよろしいですか」といったメッセージを表示させるようにしてもよい。
【００４５】
図７に示した表示画面において、ユーザが、十字キー１３のうち、左キー１３ｃもしくは右キー１３ｄを操作することにより、カーソル１１１が選択している画像を切り替えさせることができる。
【００４６】
例えば、ユーザによって、十字キー１３のうち、右キー１３ｄが押下された場合、図７に示されていた画像全体が、図中左に移動（スクロール）され、図９に示されるように、カーソル１１１により選択される画像が切り替えられる。さらに、選択画像が切り替えられても、情報表示エリア１１２には、「プロテクト」と示されたメニュー項目１３２が選択された状態のまま表示される。
【００４７】
このように、設定機能の選択状態を保持しつつ、選択画像を切り替えられるようにしたので、ユーザは、効率よく画像選択および設定機能の選択を行うことができる。
【００４８】
また、ユーザが、例えば、所定の画像のプロテクトを実行した後で、さらに、他の画像のプロテクトを実行する場合には、十字キー１３のうち、左キー１３ｃもしくは右キー１３ｄを操作して選択画面を切り替えて、所望の画像がカーソル１１１によって選択されたときに、確定キー１３ｅを押下するといった操作を繰り返す。これにより、複数の画像に対して同一の機能を連続して実行させることができる。
【００４９】
図８に示した表示画面において、ユーザが、例えば、ズームアウトボタン１５を操作することにより、図１０に示されるように、さらに複数の画像を表示させることができる。
【００５０】
図１０に示す表示画面には、９枚の画像が表示されており、そのうち、図８に示した画像がカーソル１１１により選択されている。
【００５１】
図１０に示した表示画面において、ユーザが、十字キー１３のうち、上キー１３ａ、下キー１３ｂ、左キー１３ｃ、もしくは右キー１３ｄを操作することにより、カーソル１１１が選択している画像を切り替えさせることができる。
【００５２】
例えば、ユーザによって、十字キー１３のうち、下キー１３ｂが２回押下された場合、カーソル１１１が、図１１に示されるように移動される。そして、選択画像の切り替えにともなって、LCD１１の下側に表示されている情報が、カーソル１１１によって新しく選択された画像に関する情報に更新される。
【００５３】
さらに、図１１に示した表示画面において、ユーザによって、下キー１３ｂが押下された場合、図１２に示されるように、次ページ（次の９枚の画像）の表示画面に切り替えられる。そして、表示画面の切り替えにともなって、現在の表示位置を示すカーソル１２２も移動される。
【００５４】
このように、それ以上、カーソル１１１を下に移動させることができない場合に、下キー１３ｂが押下されると、次ページの表示画面に切り替えられる。また、図中、画面右下の画像をカーソル１１１が選択している場合に、右キー１３ｄが押下された場合にも、次ページの表示画面に切り替えられる。
【００５５】
また、それ以上、カーソル１１１を上に移動させることができない場合に、上キー１３ａが押下された場合、もしくは、図中、画面左上の画像をカーソル１１１が選択している場合に、左キー１３ｃが押下された場合には、前ページの表示画面に切り替えられる。
【００５６】
なお、表示位置を示すカーソル１２２が最上部に位置している場合、もしくは、カーソル１２２が最下部に位置している場合に、上述したような操作が行われたとしても、表示画面の切り替えは行われない。
【００５７】
ところで、記録されている画像が多数（例えば、１００枚）ある場合において、複数の画像に対して同一の機能を連続して実行させるには、図１０に示した表示画面において、ユーザが、十字キー１３のうち、上キー１３ａ、下キー１３ｂ、左キー１３ｃ、もしくは右キー１３ｄを操作して選択画面を切り替えて、所定の画像がカーソル１１１によって選択されたときに、確定キー１３ｅを押下するといった操作を繰り返すことにより、より効率良く画像の選択および設定機能の実行を行うことができる。
【００５８】
次に、図１３のフローチャートを参照して、制御部４０が表示制御プログラムに従って実行する表示処理について説明する。
【００５９】
ステップＳ１において、表示制御プログラムは、画像表示の指令とともにズームアウトボタン１５が１回押下されたか否か、すなわち、ユーザによってモードダイヤル１２が「Play」と示される位置に設定され、ズームアウトボタン１５が１回押下されたか否かを判定し、画像表示の指令とともにズームアウトボタン１５が１回押下されていないと判定した場合、その操作が行われるまで判定処理を繰り返す。
【００６０】
ステップＳ１において、画像表示の指令とともにズームアウトボタン１５が１回押下されたと判定された場合、ステップＳ２に進み、表示制御プログラムは、LCD１１に、例えば、図５に示したような表示画面を表示させる。
【００６１】
ステップＳ３において、表示制御プログラムは、ユーザによってメニューボタンが押下されたか否か、すなわち、ボタン群１４のうちの「MENU」と示されるボタンからの入力信号を受けたか否かを判定し、メニューボタンが押下されていないと判定した場合、メニューボタンが押下されるまで判定処理を繰り返す。
【００６２】
ステップＳ３においてメニューボタンが押下されたと判定された場合、表示制御プログラムは、情報表示エリア１１２に表示されている詳細情報を設定機能に切り替える。このとき、表示される設定機能のうち、前回、画像表示を終了する際に、最後に選択されていた機能が選択される。
【００６３】
ステップＳ４において、表示制御プログラムは、ユーザによって十字キー１３のうち、右キー１３ｄもしくは左キー１３ｃが押下されたか否か、すなわち、右キー１３ｄもしくは左キー１３ｃからの入力信号を受けたか否かを判定し、右キー１３ｄもしくは左キー１３ｃが押下されたと判定した場合、ステップＳ５に進み、選択画像の切り替えを行う。例えば、図８に示した表示画面において、十字キー１３のうち、右キー１３ｄが押下された場合、図９に示した表示画面に切り替えられる。
【００６４】
ステップＳ６において、表示制御プログラムは、ユーザによって十字キー１３のうち、確定キー１３ｅが押下されたか否か、すなわち、確定キー１３ｅからの入力信号を受けたか否かを判定し、確定キー１３ｅが押下されていないと判定した場合、ステップＳ４に戻り、上述した処理を繰り返す。
【００６５】
ステップＳ６において、ユーザによって十字キー１３のうち、確定キー１３ｅが押下されたと判定された場合、ステップＳ７に進み、表示制御プログラムは、カーソル１１１によって選択されている画像に対して、選択機能の実行を行う。例えば、図９に示した表示画面において、十字キー１３のうち、確定キー１３ｅが押下された場合、カーソル１１１によって選択されている画像がプロテクトされる。また、必要に応じて表示画面の更新が行われる。いまの場合、「プロテクト」と示されたメニュー項目１３２の機能が実行されるので、図８に示したようなアイコン１４１がLCD１１の上側に表示される。
【００６６】
また、ステップＳ４において、ユーザによって十字キー１３のうち、右キー１３ｄもしくは左キー１３ｃが押下されていないと判定された場合、ステップＳ８に進み、表示制御プログラムは、ユーザによって十字キー１３のうち、上キー１３ａもしくは下キー１３ｂが押下されたか否か、すなわち、上キー１３ａもしくは下キー１３ｂからの入力信号を受けたか否かを判定し、上キー１３ａもしくは下キー１３ｂが押下されていないと判定した場合、その操作は無効であるとして、ステップＳ４に戻り、上述した処理を繰り返す。
【００６７】
ステップＳ８において、上キー１３ａもしくは下キー１３ｂが押下されたと判定された場合、ステップＳ９に進み、表示制御プログラムは、例えば、メニュー項目１３２から、メニュー項目１３１もしくは１３３に切り替えるといった選択機能の切り替えを行い、ステップＳ１０において、切り替えられた選択機能を保持する。
【００６８】
ステップＳ１１において、表示制御プログラムは、ユーザによって十字キー１３のうち、確定キー１３ｅが押下されたか否か、すなわち、確定キー１３ｅからの入力信号を受けたか否かを判定し、確定キー１３ｅが押下されていないと判定した場合、ステップＳ４に戻り、上述した処理を繰り返す。
【００６９】
ステップＳ１１において、ユーザによって十字キー１３のうち、確定キー１３ｅが押下されたと判定された場合、ステップＳ１２に進み、表示制御プログラムは、カーソル１１１によって選択されている画像に対して、選択機能の実行を行う。
【００７０】
ステップＳ７またはＳ１２の処理の後、ステップＳ１３に進み、表示制御プログラムは、画像表示終了が指令されたか否か、すなわち、ユーザによって「Play」と示される位置に設定されていたモードダイヤル１２の状態が解除されたか否かを判定し、画像表示終了が指令されていないと判定した場合、ステップＳ４に戻り、上述した処理を繰り返す。
【００７１】
そして、ステップＳ１３において、ユーザによって画像表示終了が指令されたと判定された場合、画像表示を終了させ、処理は終了される。
【００７２】
以上のように、十字キー１３のうち、上キー１３ａもしくは下キー１３ｂが押下されて所定の機能が選択された場合にも、十字キー１３のうち、左キー１３ｃもしくは右キー１３ｄが押下されることによって、選択画像を切り替えられるようにしたので、効率良く画像の選択および設定機能の選択を行うことができる。
【００７３】
なお、以上においては、図１３のステップＳ３の処理で、メニューボタンが押下された場合に、それ以降の処理を行うものとして説明したが、これに限られるものではなく、メニューボタンが押下されなくても、勿論、選択画像の切り替えを行うことは可能である。
【００７４】
以上においては、デジタルスチルカメラ１のLCD１１に画像および設定機能を表示させる場合を例に挙げて説明したが、本発明はこれに限らず、LCDなどの表示部を有する、例えば、携帯電話機、PDA（Personal Digital Assistant）、もしくは他の電子機器にも、勿論、適用可能である。
【００７５】
また、以上においては、選択されている設定機能の項目を、反転表示させたり、もしくは、表示色を変更させるようにしてもよい。これにより、ユーザは、項目が選択されていることの理解度が高まる。
【００７６】
上述した一連の処理は、ソフトウェアにより実行することもできる。そのソフトウェアは、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００７７】
この記録媒体は、コンピュータとは別に、ユーザにプログラムを提供するために配布される、プログラムが記録されている磁気ディスク６１（フロッピーディスクを含む）、光ディスク６２（CD-ROM（Compact Disk-Read Only Memory），DVD（Digital Versatile Disk）を含む）、光磁気ディスク６３（MD(Mini-Disk)を含む）、もしくは半導体メモリ７１などよりなるパッケージメディアなどにより構成される。
【００７８】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００７９】
【発明の効果】
本発明によれば、画像の選択および機能の選択を効率良く行うことができる。
【図面の簡単な説明】
【図１】本発明を適用したデジタルスチルカメラの本体の背面図である。
【図２】図１のデジタルスチルカメラの十字キーの拡大図である。
【図３】図１のデジタルスチルカメラの電気的構成例を示すブロック図である。
【図４】表示画面を示す図である。
【図５】図４の表示画面において、ズームアウトボタンが押下された場合に表示される表示画面を示す図である。
【図６】図５の表示画面において、右キーが押下された場合に表示される表示画面を示す図である。
【図７】図６の表示画面において、メニューボタンが押下された場合に表示される表示画面を示す図である。
【図８】図７の表示画面において、確定キーが押下された場合に表示される表示画面を示す図である。
【図９】図７の表示画面において、右キーが押下された場合に表示される表示画面を示す図である。
【図１０】図８の表示画面において、ズームアウトボタンが押下された場合に表示される表示画面を示す図である。
【図１１】図１０の表示画面において、下キーが２回押下された場合に表示される表示画面を示す図である。
【図１２】図１１の表示画面において、下キーが押下された場合に表示される表示画面を示す図である。
【図１３】表示処理を説明するためのフローチャートである。
【符号の説明】
１  デジタルスチルカメラ，  １１  LCD，  １３  十字キー，  １３ａ  上キー，  １３ｂ  下キー，  １３ｃ  左キー，  １３ｄ  右キー，  １４  ボタン群，  ４０  制御部，  ６１  磁気ディスク，  ６２  光ディスク，  ６３  光磁気ディスク，  ７１  半導体メモリ
【図１】
0004474790.tif 000002
【図２】
0004474790.tif 000003
【図３】
0004474790.tif 000004
【図４】
0004474790.tif 000005
【図５】
0004474790.tif 000006
【図６】
0004474790.tif 000007
【図７】
0004474790.tif 000008
【図８】
0004474790.tif 000009
【図９】
0004474790.tif 000010
【図１０】
0004474790.tif 000011
【図１１】
0004474790.tif 000012
【図１２】
0004474790.tif 000013
【図１３】
0004474790.tif 000014